(57)【特許請求の範囲】
【請求項１】
開閉自在のドアを構成する扉体１の下端部に昇降自在のシャッタ部材１４を設け、前記シャッタ部材１４は、前記扉体１に設けたスライド部材１２が前記扉体１の幅方向に沿って進退することに連動して昇降するようになっており、前記扉体１にその扉体１の幅方向端縁から外側に突出可能な押圧子１１が設けられ、前記スライド部材１２は前記扉体１に設けた弾性部材１５によって前記押圧子１１側に付勢されており、前記押圧子１１は、前記ドアを閉めると前記扉体１周囲のドア取付枠９に当たって押込まれ、その押圧子１１の押込方向の動きが前記スライド部材１２に伝達されて前記弾性部材１５の付勢力に抗してそのスライド部材１２を後退させて前記シャッタ部材１４を下降させ、前記ドアを開けると前記スライド部材１２は前記弾性部材１５の付勢力により前進して押圧子１１を突出させるとともにシャッタ部材１４を上昇させるドア用シャッタ装置において、
前記スライド部材１２と押圧子１１との間に切換手段２０を設け、前記切換手段２０は、押圧子１１の押込方向の移動をスライド部材１２の後退方向の動きに伝達できる伝達可能状態と、その伝達をしない伝達不能状態とに切り換え可能であり、
前記押圧子１１は軸状を成し、その押圧子１１が筒状のガイド１６内に進退可能に収納されるとともに、前記ガイド１６は前記スライド部材１２に接続されてそのスライド部材１２と一体に進退可能であり、
前記切換手段２０は、前記押圧子１１に設けられた突出ピン２１と、前記ガイド１６に設けられた筒軸方向のガイド溝２２とそのガイド溝２２に交差する方向に伸びる係止溝２３とを備え、前記突出ピン２１が前記係止溝２３に嵌ることにより前記押圧子１１と前記ガイド１６とが軸方向に一体に進退可能となって前記伝達可能状態となり、前記突出ピン２１が前記係止溝２３から離脱することにより前記押圧子１１が前記ガイド１６と軸方向に相対移動可能となって前記伝達不能状態に切り換わるようになっており、
前記押圧子１１は、前記ガイド１６に設けた補助弾性部材１７によって前記突出方向に付勢されており、前記補助弾性部材１７による付勢力は、前記弾性部材１５によって前記スライド部材１２に作用している押圧子１１側への付勢力よりも小さくなるように設定されて、前記伝達不能状態での押圧子１１の押し込み力は前記補助弾性部材１７によって吸収されて前記弾性部材１５には伝わりにくいようになっていることを特徴とするドア用シャッタ装置。
【請求項２】
前記軸状を成す押圧子１１は、筒状の外軸１１ａとその外軸１１ａ内に収納される内軸１１ｂとを有し、前記突出ピン２１は内軸１１ｂに設けられるとともに、前記外軸１１ａには、前記ガイド溝２２に嵌るガイドピン２４が設けられて、前記外軸１１ａと内軸１１ｂとが軸方向不動且つ軸周り回転自在に固定されていることを特徴とする請求項１に記載のドア用シャッタ装置。
【発明の詳細な説明】
【技術分野】
【０００１】
この発明は、開閉用ドアの下端部に設けられ、ドアを閉じたときに生ずるドア下端と敷居や床との間に生ずる隙間を閉鎖するドア用シャッタ装置に関するものである。
【背景技術】
【０００２】
建物等の部屋の出入口や、通路の途中に設けられる開閉自在のドアにおいて、そのドアを閉めた状態にすると、図８に示すように、ドアの扉体１の下端とその下方にある敷居や床面（以下、単に「床面」という）Ｆの間に隙間ｗが生ずる。
【０００３】
このような隙間は、室内の空調や防音、遮音、保温の効果、あるいは遮光の効果等を減殺するばかりでなく、その隙間を通して室内に風や埃、虫類が入る場合もあるので、その隙間を閉じるべく、ドアの下端部にドア用シャッタ装置が取付けられる場合がある。
【０００４】
このドア用シャッタ装置１０は、本願の実施形態の説明図である図３に基づいて説明すると、蝶番３を介して回転自在に取付けられた開き戸形式の扉体（ドア）１が、図中に示す矢印Ａ方向に開閉自在である。
【０００５】
図４に示すように扉体１を閉じると、その扉体１の端面に突出して設けた押圧子１１が、建物側のドア取付枠９に当たって押し込まれる。押圧子１１は、内部に収納されたバネ１５の弾性力によって突出側に付勢されているので、その付勢力に抗して押し込まれることとなる。
【０００６】
押圧子１１が押し込まれると、図７（ａ）の状態から図７（ｂ）の状態に示すように、スライド部材１２及び可撓性ベルト１３を介して接続されたシャッタ部材１４が下降して扉体１の下端と床面Ｆとの間に生ずる隙間を塞ぐ。
また、扉体１を開くと押圧子１１は、前記バネ１５の弾性力で元の突出状態に復帰するとともに、シャッタ部材１４が上昇して床面Ｆとの接触を回避する構造になっている（例えば、特許文献１参照）。
【０００７】
【特許文献１】実開平７−１５９９１号公報
【発明の開示】
【発明が解決しようとする課題】
【０００８】
しかし、近年、建物の用途やその建物の使用環境等に応じて、室内の完全な気密の維持を望まないケースが増えている。ドア下の僅かな隙間を通じて室内と室外との間に生じる換気が、見直されつつあるからである。
【０００９】
このため、例えば、在室時にはドア下の隙間を閉じて室内の完全な気密を維持し、外出時にはドア下の隙間を開けて換気させるといった具合に、同一の室内において換気の有無を使い分けしたいケースも生じ得る。また、例えば、時間帯や季節に応じてその使い分けを希望するケースも考えられる。
【００１０】
しかし、従来は、ドア下の隙間を通じて換気をしたいとする要請がなかったため、従来のドア用シャッタ装置では、前記隙間による換気を望む場合と、室内の気密の維持を望む場合の双方に対応することができなかった。
【００１１】
このため、室内の気密の維持を望む場合には、シャッタ部材１４が床面Ｆとの隙間を完全に閉じるようにし、前記隙間による換気を望む場合には、シャッタ部材１４の高さ調整を行って、シャッタ部材１４が完全に下降した際に、なお床面Ｆとの間に隙間を残すように調整する等の手段を採用していた。
【００１２】
しかし、このような調整作業は煩雑な作業であり、また、その作業はドア下の狭隘なスペースで行わなければならず、容易に調整できるものではなかった。このため、換気の有無の切り換えを頻繁に行うことはできなかった。
【００１３】
そこで、この発明は、ドア下の隙間による換気を望む場合と、室内の気密の維持を望む場合の双方に、容易に対応できるようにすることを課題とする。
【課題を解決するための手段】
【００１４】
上記の課題を解決するために、この発明は、開閉自在のドアを構成する扉体の下端部に昇降自在のシャッタ部材を設け、前記シャッタ部材は、前記扉体に設けたスライド部材が前記扉体の幅方向に沿って進退することに連動して昇降するようになっており、前記扉体にその扉体の幅方向端縁から外側に突出可能な押圧子が設けられ、前記スライド部材は前記扉体に設けた弾性部材によって前記押圧子側に付勢されており、前記押圧子は、前記ドアを閉めると前記扉体周囲のドア取付枠に当たって押込まれ、その押圧子の押込方向の動きが前記スライド部材に伝達されてそのスライド部材を後退させて前記シャッタ部材を下降させ、前記ドアを開けると前記スライド部材は前記付勢力により前進して押圧子を突出させるとともにシャッタ部材を上昇させるドア用シャッタ装置において、前記スライド部材と押圧子との間に切換手段を設け、前記切換手段は、押圧子の押込方向の移動をスライド部材の後退方向の動きに伝達できる伝達可能状態と、その伝達をしない伝達不能状態とに切り換え可能である構成を採用した。
【００１５】
切換手段を設けたことにより、前記伝達可能状態と伝達不能状態とに切換えできるので、
ドア下の隙間による換気を望む場合と、室内の気密の維持を望む場合の双方に、容易に対応できるようになる。      
【００１６】
上記の構成において、前記押圧子は軸状を成し、その押圧子が筒状のガイド内に進退可能に収納されるとともに、前記ガイドは前記スライド部材に接続されてそのスライド部材と一体に進退可能であり、前記切換手段は、前記押圧子に設けられた突出ピンと、前記ガイドに設けられた筒軸方向のガイド溝とそのガイド溝に交差する方向に伸びる係止溝とを備え、前記突出ピンが前記係止溝に嵌ることにより前記押圧子と前記ガイドとが軸方向に一体に進退可能となって前記伝達可能状態となり、前記突出ピンが前記係止溝から離脱することにより前記押圧子が前記ガイドと軸方向に相対移動可能となって前記伝達不能状態に切り換わる構成を採用し得る。
【００１７】
この構成によれば、軸状の押圧子を回転操作することにより上記切り換えができ、また、ドアを開けた状態にすれば押圧子の軸方向端部が見えるので、その回転操作は楽に行うことができる。
【００１８】
さらに上記の構成において、前記押圧子は、前記ガイドに設けた補助弾性部材によって前記突出方向に付勢されており、前記補助弾性部材による押圧子の突出方向への付勢力を、前記スライド部材の前記押圧子側への付勢力よりも小さくした構成を採用し得る。
【００１９】
前記伝達可能状態であれば、押圧子はドアを閉じると押し込まれ、その後、ドアを開けると、その押圧子は扉体の端縁から突出した状態に戻る。
これは、伝達可能状態であれば、前記押圧子が前記ガイドと一体に進退可能であって、そのガイドは前記スライド部材と一体に進退可能であるからスライド部材に付与された付勢力によって押圧子は突出状態に復帰可能であるからである。
一方、伝達不能状態であれば、前記押圧子と前記ガイドとが軸方向に相対移動可能であって、押圧子が押し込められても前記スライド部材の付勢力は作用しない。このため、ガイドに補助弾性部材を設けて押圧子を前記突出方向に付勢すれば、押圧子を元の突出状態に戻すのに便利である。
このとき、ガイドに設けた補助弾性部材による押圧子の付勢力を、スライド部材の付勢力よりも小さくすることにより、伝達可能状態において補助弾性部材の伸縮を抑え、押圧子の押込方向の移動がスライド部材の後退方向の動きに伝達されやすいようにし得る。
【００２０】
また、上記の軸状の押圧子を用いた各構成において、前記押圧子は、筒状の外軸とその外軸内に収納される内軸とを有し、前記突出ピンは内軸に設けられるとともに、前記外軸には、前記ガイド溝に嵌るガイドピンが設けられて、前記外軸と内軸とが軸方向不動且つ軸周り回転自在に固定されている構成を採用し得る。
【００２１】
このようにすれば、内軸の押し込み方向の位置にかかわらず、外軸とガイドとの軸方向相対位置は一定となり、すなわち両者の保持長さは一定となる。このため、押圧子とガイドとの保持状態が安定するので好ましい。
【発明の効果】
【００２２】
この発明は、ドア用シャッタ装置に切換手段を設けたことにより、ドアを閉めた際に扉体周囲のドア取付枠に当たる押圧子の押込方向の移動を、スライド部材の後退方向の動きに伝達できる伝達可能状態と、その伝達をしない伝達不能状態とに切り換えできるようになる。このため、ドア下の隙間による換気を望む場合と、室内の気密の維持を望む場合の双方に、容易に対応できるようになる。
【発明を実施するための最良の形態】
【００２３】
一実施形態を図面に基づいて説明する。この実施形態のドア用シャッタ装置１０は、従来例と同様、図３に示すように、蝶番３を介してドア取付枠９に回転自在に取付けられた開き戸形式の扉体（ドア）１が図中矢印Ａ方向に開閉自在であり、その扉体１の下端に設けられるものである。
【００２４】
ドア用シャッタ装置１０の扉体１への固定方法は、図５等に示すように、端部に位置する基板８が、扉体１の蝶番３側の端面に沿って宛がわれており、その基板８が扉体１に木ねじ等により固定されている。また、扉体１の下面において、ドア用シャッタ装置１０のフレームが、前記扉体１に対して図示しない木ネジ等により固定されて脱落しないようになっている。
【００２５】
このドア用シャッタ装置１０の構成は、前記扉体１の下端と床面Ｆとの隙間ｗ（図８参照）を、その扉体１の幅方向ほぼ全長に亘って閉塞することができるシャッタ部材１４が、前記フレームに対して昇降自在に設けられている。
【００２６】
そのシャッタ部材１４は、前記扉体１の下端に沿って設けたスライド部材１２が、前記扉体１の幅方向に沿って進退することに連動して昇降するようになっており、その昇降範囲は、シャッタ部材１４が扉体１の下端から下方に突出して床面Ｆに触れる位置から、床面Ｆから完全に離れる高さまでとなっている。シャッタ部材１４が床面Ｆから離れていれば、閉扉状態においてもそのドアを夾んで室内外間の空気の流通が可能である。
【００２７】
前記シャッタ部材１４はゴム製であり、上部に位置する断面Ｔ字状の係合部１４ａと、その係合部１４ａの下部に位置する薄肉ゴム中空体からなる断面Ｄ字状の弾性体部１４ｂとを有している。この弾性体部１４ｂは、その全長に亘って床面Ｆに密着し得るとともに、仮に床面Ｆ上に異物がある場合には、異物に接触することにより容易に弾性変形し、その弾性変形により異物の形状に沿うようになっている。
【００２８】
シャッタ部材１４の前記係合部１４ａが、長手状の主桁７に係合して支持されており、その主桁７が、弧状の案内部１９に沿って配置された可撓性ベルト１３を介して前記スライド部材１２に接続されている。可撓性ベルト１３は案内部１９の弧状面に沿ってベルト長手方向に摺動自在であるので、スライド部材１２の進退の動きをシャッタ部材１４の昇降の動きに変換することができる。
なお、シャッタ部材１４の係合部１４ａは主桁７に係脱可能であるので、そのシャッタ部材１４を主桁７から取り外して別のシャッタ部材１４に交換することもできる。
【００２９】
また、前記スライド部材１２は、前記扉体１に設けた弾性部材１５によって扉体１の幅方向に沿って前記蝶番３側に付勢されており、その付勢力は前記可撓性ベルト１３を介してシャッタ部材１４へ伝達されている。
弾性部材１５は、図１に示すように、扉体１に設けた基部２から蝶番３側へ水平方向に突出する固定軸２ａに嵌め込まれて固定され、その弾性部材１５の前端が、前記スライド部材１２を構成する板状の水平部１２ｆの前端から下方に向かって伸びるように形成された連結部１２ｅに当接し、その基部２と連結部１２ｅ間での突っ張りによって前記スライド部材１２を前記蝶番３側へ付勢する。
【００３０】
前記扉体１の前記蝶番３側の端部には、その扉体１の幅方向端縁から外側に突出可能な軸状の押圧子１１が設けられている。
【００３１】
前記押圧子１１は、図２に示すように、円筒状の外軸１１ａとその外軸１１ａ内に収納される断面円形の内軸１１ｂとを有している。外軸１１ａ及び内軸１１ｂは、それぞれ前端側の端面に、径方向に伸びる直線状の溝２５ａ，２５ｂを有している。
【００３２】
前記内軸１１ｂには、やや後端寄りの部分に周方向全周に亘る係止溝２６が形成されており、その係止溝２６のさらに後端側に設けた径方向の貫通穴に、突出ピン２１が嵌め込まれて固定されている。
また、外軸１１ｂには、周方向１箇所に設けられた穴にガイドピン２４が嵌められて固定されている。このガイドピン２４は、その外軸１１ａ内に収納された内軸１１ｂの前記係止溝２６内に入り込んで、外軸１１ａと内軸１１ｂとが軸方向不動且つ軸周り回転自在に固定している。
【００３３】
その軸方向不動且つ軸周り回転自在に固定された外軸１１ａと内軸１１ｂとが押圧子１１を構成し、その押圧子１１が筒状のガイド１６内に進退可能に収納される。ガイド１６の底にはワッシャ２７を介して補助弾性部材１７が収納され、その押圧子１１を前端側へ付勢している。
【００３４】
また、ガイド１６は、図１に示すように、その後端側にナット１２ｂが埋め込まれており、そのナット１２ｂは、ガイド１６に対して不動に固定されている。そのナット１２ｂに連結軸１２ａの前端がねじ込まれ、その連結軸１２ａの後端は、前記スライド部材１２の連結部１２ｅに、ナット１２ｃ，１２ｄを介して接続されている。
このため、ガイド１６を後端側へ押せばその押圧力はスライド部材１２に伝達され、その押圧力が前記弾性部材１５の弾性力を上回れば、スライド部材１２はガイド１６とともに一体に後退する。また、スライド部材１２が後退した後、前記押圧力が前記弾性部材１５の弾性力を下回れば、スライド部材１２はガイド１６とともに一体に前進する。
【００３５】
そのガイド１６は、図２に示すように、筒軸方向のガイド溝２２と、そのガイド溝２２の途中から分岐し前記ガイド溝２２に直交する方向に伸びる係止溝２３とを備えている。各溝２２，２３は、筒状のガイド１６の内外を貫通して形成されているので、前記各ピン２１，２４の各軸１１ｂ，１１ａへの嵌め込みは、その各軸１１ｂ，１１ａをガイド１６内に収納した状態で、ガイド１６の外側からできるようになっている。
【００３６】
前記突出ピン２１が、前記係止溝２３に嵌っている状態（図２（ｂ）参照）であれば、前記押圧子１１と前記ガイド１６とが軸方向に一体に進退可能となって、前記押圧子１１を後端側へ押せばその押圧力はスライド部材１２に伝達される（伝達可能状態）。
【００３７】
また、前記突出ピン２１が前記係止溝２３から離脱している状態（図２（ｃ）参照）であれば、前記押圧子１１と前記ガイド１６とは軸方向に相対移動可能な状態となって、前記押圧子１１を後端側へ押しても、図２（ｄ）に示すように、その押圧力はスライド部材１２には伝達されない（伝達不能状態）。
【００３８】
このように、前記スライド部材１２と押圧子１１との間に切換手段２０が設けられており、この切換手段２０は、押圧子１１の押込方向の移動をスライド部材１２の後退方向の動きに伝達できる伝達可能状態と、その伝達をしない伝達不能状態とに切り換え可能となっている。
【００３９】
なお、ガイドピン２４の外径側の端部は、前記伝達可能状態、伝達不能状態の別を問わず、常にガイド１６のガイド溝２２内に入り込んでおり、伝達不能状態においては、その押圧子１１がガイド１６の軸方向に沿って移動することを案内する機能を有する。
また、前記補助弾性部材１７によって前記押圧子１１に作用している突出方向の付勢力は、前記弾性部材１５によって前記スライド部材１２に作用している押圧子１１側への付勢力よりも小さくなるように設定されている。
【００４０】
このドア用シャッタ装置１０の作用について説明すると、まず、押圧子１１を図２（ｂ）に示す伝達可能状態としている時には、扉体１を開けた状態において、押圧子１１が扉体１の端縁から外側に突出した状態となり（図３参照）、シャッタ部材１４は、図５（ａ）乃至（ｄ）に示すように、床面Ｆに接触しない状態となっている。シャッタ部材１４が床面Ｆに接触しないので、扉体１の開閉は抵抗が少なくスムースである。
【００４１】
扉体１を閉じると、前記押圧子１１は扉体１周囲のドア取付枠９に当たって押込まれ（図４参照）、その押圧子１１の押込方向の動きが、前記ガイド１６を介して前記スライド部材１２に伝達される。
スライド部材１２が、前記弾性部材１５の付勢力に抗して後退することにより、前記シャッタ部材１４が下降し、扉体１と床面Ｆとの間の隙間を閉塞した状態に維持される。
【００４２】
また、前記扉体１を再度開ければ、前記スライド部材１２は前記弾性部材１５の付勢力により前進し、押圧子１１を突出させるとともにシャッタ部材１４が床面Ｆから離れる位置まで上昇するので、シャッタ部材１４が床面Ｆに摺れることが防止される。
【００４３】
なお、シャッタ部材１４は、スライド部材１２の押圧力が、前記可撓性ベルト１３を介してそのシャッタ部材１４を下方へ押し下げる方向への力に変換され、その押し下げ力ににより床面Ｆに向かって下降する構成としてもよいが、例えば、その押し下げ力の作用に加えて、又はその押し下げ力の作用に代えて、主としてそのシャッタ部材１４や前記主桁７等の自重によって下降する構成としても差し支えない。
【００４４】
つぎに、内軸１１ｂの溝２５ｂにドライバー等の工具の先端を差し込み、その内軸１１ｂを約９０度軸周りに回転させると、押圧子１１は、図２（ｃ）（ｄ）に示すように、突出ピン２１が係止溝２３から離脱し、突出ピン２１は、ガイド溝２２内をそのガイド溝２２の長さ方向に沿って移動可能な状態となって、押圧子１１とガイド１６とは軸方向に相対移動可能な状態、すなわち、前記伝達不能状態となる。
このとき、溝２５ａ，２５ｂが一直線上に位置しているので、操作者は、押圧子１１が伝達不能状態であることを視覚により認識することができる。
【００４５】
この伝達不能状態の時には、扉体１を開けた状態において、押圧子１１が扉体１の端縁から外側に突出した状態となり（図３参照）、シャッタ部材１４は、図５（ａ）乃至（ｄ）に示すように、床面Ｆに接触しない状態となっている点は、伝達可能状態の場合と同じである。
【００４６】
扉体１を閉じると、前記押圧子１１は扉体１周囲のドア取付枠９に当たって押込まれ（図４参照）るが、その押圧子１１の押込方向の動きは前記スライド部材１２には伝達されず、補助弾性部材１７がその弾性力に抗して押し縮められながら、押圧子１１がガイド１６内の奥に向かって（後端側に向かって）入り込んでいく。
押圧子１１の押込方向の動きが前記スライド部材１２に伝達されないので、前記シャッタ部材１４は下降せず、扉体１と床面Ｆとの間の隙間ｗが、開放したままの状態で維持される。
【００４７】
このとき、前記補助弾性部材１７による付勢力は、前記弾性部材１５によって前記スライド部材１２に作用している押圧子１１側への付勢力よりも小さくなるように設定されているので、その押圧子１１の押し込み力は補助弾性部材１７によって吸収されて、スライド部材１２側の弾性部材１５には伝わりにくいようになっている。
【００４８】
また、前記扉体１を再度開ければ、前記押圧子１１は前記補助弾性部材１７の付勢力により前進し、押圧子１１が突出した元の状態に復帰する。
【００４９】
再度、内軸１１ｂの溝２５ｂにドライバー等の工具の先端を差し込み、その内軸１１ｂを、逆方向に約９０度軸周りに回転させれば、押圧子１１を前記伝達可能状態に戻すことができる。このとき、溝２５ａ，２５ｂが、約９０度ずれた方位に位置しているので、操作者は、伝達可能状態であることを視覚により認識することができる。
【００５０】
この実施形態では、外軸１１ａと内軸１１ｂとを備えた押圧子１１を採用し、その押圧子１１とスライド部材１２との間に筒状のガイド１６を介在させて切換手段２０を構成したが、この切換手段２０に求められる機能としては、押圧子１１の押込方向の移動をスライド部材１２の後退方向の動きに伝達できる伝達可能状態と、その伝達をしない伝達不能状態とに切り換え可能であればよく、他の構成を採用することも可能である。
【００５１】
例えば、ガイドピン２４を省略するとともに、外軸１１ａと内軸１１ｂとを一体に軸周り回転可能、あるいは外軸１１ａと内軸１１ｂとを一体に形成した構成を採用することができる。
【００５２】
また、補助弾性部材１７によって押圧子１１に作用する突出方向の付勢力が、選択的に押圧子１１に作用するように切り換えできる手段を設けた構成も考えられる。
【００５３】
この構成において、少なくとも前記伝達不能状態において、押圧子１１が後端側へ押し込まれる際に補助弾性部材１７による付勢力が押圧子１１に作用しないように切り換えておけば、前記弾性部材１５と補助弾性部材１７との付勢力の大小にかかわりなく、前記押圧子１１の押し込み方向の押圧力がガイド１６に伝達されないようにすることができる。
また、押圧子１１を元の突出状態に戻す時に、補助弾性部材１７による付勢力が押圧子１１に作用するように切り換えれば、押圧子１１は手で戻さずともその付勢力で自動的に突出状態に戻るので便利である。
【００５４】
この実施形態では、ドア用シャッタ装置１０の押圧子１１を、前記扉体１の前記蝶番３側の端部に設けたが、反対側の端部に設けることもできる。
【図面の簡単な説明】
【００５５】
【図１】一実施形態を示し、（ａ）は側面図、（ｂ）は正面図、（ｃ）は底面図
【図２】（ａ）は図１の要部分解斜視図、（ｂ）は伝達可能状態を示す斜視図、（ｃ）（ｄ）は伝達不能状態を示す斜視図
【図３】ドア用シャッタ装置を取り付けた扉体を示す開扉状態の斜視図
【図４】ドア用シャッタ装置を取り付けた扉体を示す閉扉状態の斜視図
【図５】伝達可能状態を示し、（ａ）（ｃ）は開扉状態を示す側面図、（ｂ）は同底面図、（ｄ）は同正面図、（ｅ）は閉扉状態を示す底面図、（ｆ）は同側面図、（ｇ）は同正面図
【図６】伝達不能状態を示し、（ａ）（ｃ）は開扉状態を示す側面図、（ｂ）は同底面図、（ｄ）は同正面図、（ｅ）は閉扉状態を示す底面図、（ｆ）は同側面図、（ｇ）は同正面図
【図７】従来例を示し、（ａ）は開扉状態を示す正面図、（ｂ）は閉扉状態を示す正面図
【図８】閉扉状態における扉体と床面との隙間を示す説明図
【符号の説明】
【００５６】
１  扉体
２  基部
３  蝶番
８  基板
９  ドア取付枠
１０  ドア用シャッタ装置
１１  押圧子
１１ａ  外軸
１１ｂ  内軸
１２  スライド部材
１３  可撓性ベルト
１４  シャッタ部材
１５  弾性部材
１６  ガイド
１７  補助弾性部材
２０  切換手段
２１  突出ピン
２２  ガイド溝
２３  係止溝
２４  ガイドピン
Ｆ  床面
【図１】
0005103075.tif 000002
【図２】
0005103075.tif 000003
【図３】
0005103075.tif 000004
【図４】
0005103075.tif 000005
【図５】
0005103075.tif 000006
【図６】
0005103075.tif 000007
【図７】
0005103075.tif 000008
【図８】
0005103075.tif 000009